(57)【要約】【課題】使用者の首や頭の周辺の薬剤効果を十分に得ることができる吊下型送風式薬剤放散装置とする。【解決手段】本体１０に送風機１１と薬剤１２を設け、その送風機１１を駆動することで吸込口１３から空気を吸い込み、薬剤を含む空気を放出口１４から放出する送風式の薬剤放散器１と、この薬剤放散器１を使用者に首に吊り下げる紐状体２を備え、前記放出口１４から放出された薬剤を含む空気を紐状体２の長手方向中間の吊り下げ部分２ａから大気に放出して、使用者の首や頭の周辺の薬剤効果を十分に得られるようにした吊下型送風式薬剤放散装置。【選択図】図１
2007274991.tif 000002
【特許請求の範囲】
【請求項１】
送風式の薬剤放散器１と、この薬剤放散器１を吊り下げるための吊り下げ用の紐状体２を備え、
前記薬剤放散器１は、吸込口１３と放出口１４を有する本体１０に、送風機１１と薬剤１２を設け、その送風機１１を駆動することで吸込口１３から空気を吸い込み、薬剤を含む空気を放出口１４から放出するものとし、
前記吊り下げ用の紐状体２は、前記薬剤放散器１の放出口１４から放出した薬剤を含む空気を、その長手方向中間の吊り下げ部分２ａから大気に放出するものとしたことを特徴とする吊下型送風式薬剤放散装置。
【請求項２】
吊り下げ用の紐状体２は、本体１０の放出口１４と連通した空気流通孔２０と、その空気流通孔２０を流通する空気を長手方向中間の吊り下げ部分２ａから大気に放出する放出部２１が形成されている請求項１記載の吊下型送風式薬剤放散装置。
【請求項３】
吊り下げ用の紐状体２は可撓性を有し、その長手方向の両端部が本体１０の左右一対の放出口１４に接続している請求項１又は２記載の吊下型送風式薬剤放散装置。
【請求項４】
吊り下げ用の紐状体２は、紐体２２と、この紐体２２に設けた接続部２３を有し、
薬剤放散器１の本体１０は、その放出口１４と連通した筒状の取付用突部３０を備え、
この取付用突部３０に、前記接続部２３の接続口２３ａを嵌合して接続した請求項１又は２記載の吊下型送風式薬剤放散装置。
【発明の詳細な説明】
【技術分野】
【０００１】
本発明は、人、動物の首などに吊り下げて使用する吊下型送風式薬剤放散装置に関する。
【背景技術】
【０００２】
従来から送風式の薬剤放散器が種々提案されている。
例えば、特許文献１に開示したように、本体内に送風機と薬剤を設け、その送風機を駆動することで本体の吸込口から空気を吸い込み、薬剤を含む空気を本体の放出口から大気に放出する送風式の薬剤放散器が提案されている。
この送風式の薬剤放散器は、使用者の腰に着用して使用される。
【０００３】
また、特許文献２には送風式の薬剤放散器の本体に着用バンドを取付け、その着用バンドを使用者の腰などに巻きつけて着用するものが知られている。
【０００４】
【特許文献１】特開２００１−１９７８５６号公報
【特許文献２】特開２００４−２４１６１号公報
【発明の開示】
【発明が解決しようとする課題】
【０００５】
前述した送風式の薬剤放散器は、本体の放出口から薬剤を含む空気を大気に放出するものであるから、使用者の腰に着用して使用する際に、薬剤を含む空気が使用者の首、頭まで流れることが少なく、使用者の首、頭の周辺の薬剤効果が十分に得られないことがあり、使用者の首、頭の周辺の薬剤効果が満足できる程度に十分に得られる送風式の薬剤放散器が望まれている。
特に、夏場、山林に入る伐採者、監視巡回者、昆虫マニア、登山者などは、身体や足元を守る服装、靴には充分に気を付けているが、暑さゆえに顔や首もとは無防備になりやすく、前述のように首や頭の周辺の薬剤効果が十分に得られる送風式薬剤放散器があれば大変好ましい。
【０００６】
本発明の目的は、使用者の首や頭の周辺の薬剤効果が十分に得られる送風式薬剤放散装置を提供することを目的とする。
【課題を解決するための手段】
【０００７】
第１の発明は、送風式の薬剤放散器１と、この薬剤放散器１を吊り下げるための吊り下げ用の紐状体２を備え、
前記薬剤放散器１は、吸込口１３と放出口１４を有する本体１０に、送風機１１と薬剤１２を設け、その送風機１１を駆動することで吸込口１３から空気を吸い込み、薬剤を含む空気を放出口１４から放出するものとし、
前記吊り下げ用の紐状体２は、前記薬剤放散器１の放出口１４から放出した薬剤を含む空気を、その長手方向中間の吊り下げ部分２ａから大気に放出するものとしたことを特徴とする吊下型送風式薬剤放散装置である。
【０００８】
第２の発明は、第１の発明において、吊り下げ用の紐状体２は、本体１０の放出口１４と連通した空気流通孔２０と、その空気流通孔２０を流通する空気を長手方向中間の吊り下げ部分２ａから大気に放出する放出部２１が形成されている吊下型送風式薬剤放散装置である。
【０００９】
第３の発明は、第１又は第２の発明において、吊り下げ用の紐状体２は可撓性を有し、その長手方向の両端部が本体１０の左右一対の放出口１４に接続している吊下型送風式薬剤放散装置である。
【００１０】
第４の発明は、第１又は第２の発明において、吊り下げ用の紐状体２は、紐体２２と、この紐体２２に設けた接続部２３を有し、
薬剤放散器１の本体１０は、その放出口１４と連通した筒状の取付用突部３０を備え、
この取付用突部３０に、前記接続部２３の接続口２３ａを嵌合して接続した吊下型送風式薬剤放散装置である。
【発明の効果】
【００１１】
第１の発明によれば、吊り下げ用の紐状体２を使用者の首に掛け回して吊り下げて使用することで、その薬剤放散器１の放出口１４から放出された薬剤を含む空気は、紐状体２の吊り下げ部分２ａから大気に放出されるので、その薬剤を含む空気は使用者の首や頭の周辺に多量に流れる。
したがって、使用者の首や頭の周辺の薬剤効果が十分に得られる。
【００１２】
第２の発明によれば、薬剤を含む空気は、空気流通孔２０を通って放出部２１から大気に放出されるので、その薬剤を含む空気を効率良く吊り下げ部分２ａから大気に放出することができる。
したがって、紐状体２を使用者の首に掛け回して使用することで、その使用者の首や頭の周辺の薬剤効果をより一層十分とすることができる。
【００１３】
第３の発明によれば、紐状体２は可撓性を有するから、使用者の首に沿ってスムーズに湾曲する。
また、紐状体２の長手方向両端部が本体１０の左右一対の放出口１４に接続してあるので、その紐状体２を使用者の首に掛け回した時に、本体１０を安定して吊り下げ支持できる。
したがって、薬剤放散器１を使用者の首に、スムーズに安定して吊り下げ支持できる。
【００１４】
第４の発明によれば、紐体２２を可撓性を有するものとし、接続部２３を硬く強固なものとすることで、使用者の首にスムーズに掛け回して吊り下げできると共に、紐状体２と本体１０をしっかりと接続して外れないようにすることができる。
【発明を実施するための最良の形態】
【００１５】
図１、図２、図３に示すように、送風式の薬剤放散器１と、この薬剤放散器１を使用者の首などに吊り下げるための吊り下げ用の紐状体２で送風式薬剤放散装置とする。
前記薬剤放散器１は本体１０と、この本体１０に設けた送風機１１、薬剤１２を備え、その送風機１１を駆動することで本体１０の吸込口１３から空気を吸い込み、薬剤を含む空気を本体１０の放出口１４から大気に放出する。
前記紐状体２は、前記本体１０の放出口１４から放出された薬剤を含む空気を、その紐状体２の長手方向中間の吊り下げ部分２ａから大気に放出するものである。
【００１６】
このようであるから、吊り下げ用の紐状体２の吊り下げ部分２ａを使用者の首に掛け回して薬剤放散器１を吊り下げて使用することで、その吊り下げ部分２ａから集中的に薬剤を含む空気が大気に放出される。
したがって、使用者の首や頭の周辺に薬剤を含む空気が多量に流れ、満足すべき薬剤効果を十分に得ることができる。
なお、使用者の首に限ることはなく、動物の首などに吊り下げて使用できることは勿論である。
【００１７】
次に、各部材の具体形状を説明する。
前記本体１０は、一側本体１５と他側本体１６をヒンジ１７で開閉自在に連結し、送風機収納室１０ａと薬剤収納室１０ｂと電池収納室１０ｃを有する。そして、一側本体１５が背面側で、他側本体１６が正面側となるようにする。
前記一側本体１５は、有底の筒形状で、その周面１５ａの一部分に電池収納室１０ｃを形成する張り出し部１５ｂが一体的に設けてある。
前記周面１５ａには左右一対の突部１５ｃが一体的に形成され、この突部１５ｃに放出口１４が送風機収納室１０ａに開口して形成してある。これにより、本体１０は左右一対の放出口１４を有する。
【００１８】
前記他側本体１６は、一側本体１５の開口側周面に嵌ま合う有底の筒状部１６ａと、この筒状部１６ａの周面の一部分に一体的に設けた前記電池収納室１０ｃを形成する張り出し部１６ｂと、筒状部１６ａの周面の一部に一体的に設けたフック１６ｃを備え、その張り出し部１６ｂと下部本体１５の張り出し部１５ｂをヒンジ１７で開閉自在に連結し、そのフック１６ｃを下部本体１５の周面１５ａに係止することで一側本体１５と他側本体１６を閉じ状態で連結する。
前記他側本体１６にスリット状の開口部１６ｄを形成して吸込口１３としてある。
【００１９】
このようであるから、他側本体１６をヒンジ１７を中心として揺動することで開放位置とすることで、薬剤１２、電池１８を交換することができる。
【００２０】
前記送風機１１はモータ１１ａでファン１１ｂを回転するものである。
前記薬剤１２は、通気部を有する容器１２ａ内に薬剤含浸プレート１２ｂを設け、通気性を有する押さえ１２ｃで保持したものである。
【００２１】
前記吊り下げ用の紐状体２は、図１に示すように空気流通孔２０を長手方向に連続して有し、その長手方向中間部（吊り下げ部２ａ）の空気流通孔２０が放出部２１で外部に開口している。
この放出部２１は複数の孔２１ａを紐状体２の長手方向、周方向に間隔を置いて形成したものでも良いし、スリットでも良い。
また、孔２１ａは、紐状体２の外周側の面、内周側の面、正面側の面、背面側の面のいずれか１つの面、又は複数の面に形成することができる。
また、人の首などに吊り下げて使用させる場合は、使用者の首など肌に接触する面には孔２１ａが形成されていないことが好ましい。
前記紐状体２の長手方向両端部は一対の放出口１４の開口縁に設けられて放出口１４と空気流通孔２０を連通している。
例えば、紐状体２の長手方向両端部を左右一対の放出口１４の開口縁に嵌合して取付けられる。
この紐状体２と一側本体１５を一体としても良い。
【００２２】
前記紐状体２は可撓性を有するものが好ましい。例えば、軟質樹脂製のパイプで、長手方向に間隔を置いて複数の孔を有するものが好ましい。
この場合には、パイプを放出口１４の開口縁に嵌合しづらいので、パイプの長手方向の端部に金属製の口金を設けて嵌合し易くすることが好ましい。
また、紐状体２を可撓性を有すると共に、放出口１４に着脱自在とすれば、その紐状体２を放出口１４から外した状態で、使用者の首に複数回巻きつけて放出口１４に嵌合して連結することが可能となり、使用者の首の周辺からより多量の薬剤を含む空気を放出できる。
【００２３】
次に、本発明の第２の実施の形態を図４〜図６に基づいて説明する。
この実施の形態は本体１０の背面側から空気を吸い込むようにし、正面側に電池収納室１０ｃを設けたことが前述の第１の実施の形態と相違し、他は同様である。
例えば、一側本体１５を正面側で、他側本体１６を背面側として吸込口１３を背面側に形成する。
前記一側本体１５の表面に電池収納室１０ｃを形成する。
前記他側本体１６は、一側本体１５の周面１５ａに嵌まり合う有底の筒形状で、その底面部にスリットを形成して吸込口１３とする。
【００２４】
前述の各実施の形態においては、放出口１４に紐状体２の長手方向端部を嵌合するようにしたが、本体１０に放出口１４と連通した取付用突部を設け、紐状体２を、その長手方向端部に接続部を有するものとし、この接続部を取付用突部に嵌合して紐状体２を本体１０に取付けるようにしても良い。
【００２５】
例えば、図７と図８に示すように、薬剤放散器１の本体１０（下部本体１５）における放出口１４の周縁に、筒形状の取付用突部３０を一体的に設ける。
紐状体２を、空気流通孔２０を有する紐体２２と、その長手方向端部に設けた接続部２３を有するものとする。この接続部２３は前記取付突部３０の外周面に嵌合する接続口２３ａと、この接続口２３ａを紐状体２の空気流通孔２０に連通する流通孔２３ｂを有し、その接続口２３ａを取付用突部３０に嵌合することで紐状体２を本体１０に接続する。
これによって、放出口１４が紐状体２の空気流通孔２０に連通する。
【００２６】
このように構成すれば、紐体２２を可撓性を有するものとし、接続部２３を強固なものとすることによって、紐状体２を使用者の首にスムーズに掛け回すことができると共に、紐状体２を本体１０に強固に接続することができる。
【００２７】
また、図７に示すように取付用突部３０を横向きとすることで、薬剤放散器１の自重などで取付用突部３０と接続部２３が抜けることがない。
なお、この接続部２３と紐体２２は一体でも良いし、別体としても良い。
【００２８】
また、図９に示すように取付用突部３０に接続部２３をナット部材３１を利用して強固に接続しても良い。
例えば、接続部２３の接続口２３ａ部分にスリットを形成すると共に、ナット部材３１を螺合し、そのナット部材３１を締め付けることで接続口２３ａ部分が押しつぶされるようにする。
【００２９】
このようにすれば、ナット部材３１を弛めた状態で接続部２３の接続口２３ａ部分を取付用突部３０の外周に嵌合し、ナット部材３１を締め付けることで接続口２３ａ部分を取付用突部３０の外周面に強く押しつけることによって、取付用突部３０に接続部２３を強固に接続することができる。
【００３０】
前記ナット部材３１を取付用突部３０の外周面に螺合して接続部２３を取付用突部３０に強固に接続することもできる。
例えば、図１０に示すように、接続部２３にフランジ２３ｃを設け、ナット部材３１に鍔３１ａを設け、そのナット部材３１を締め付けることで、その鍔３１ａをフランジ２３ｃに押しつけることで接続部２３の端面と取付用突部３０の端面を強く接して強固に接続する。
【００３１】
前述の各実施の形態においては紐状体２の長手方向の両端部を、本体１０の２つの放出口１４にそれぞれ接続したが、紐状体２を１つの放出口１４に接続しても良い。
例えば図１１、図１２に示すように、紐状体２の１つの接続部２３に一対の紐体接続口２３ｄと１つの接続口２３ａを形成する。
前記一対の紐体接続口２３ｄに紐体２２の長手方向両端部をそれぞれ嵌合して接続することで紐状体２とする。
送風式の薬剤放散器１の本体１０に放出口１４と連通した筒状の取付用突部３０を一体的に設ける。
前記接続部２３の接続口２３ａを取付用突部３０の外周面に嵌合して紐状体２を本体１０に接続する。
前述の接続口２３ａと取付用突部３０は幅狭で、長いほぼ長方形状としてある。
【００３２】
このようにした場合には、薬剤放散器１の自重等で接続部２３と取付用突部３０が抜けでないようにすることが好ましい。
例えば、接続部２３の接続口２３ａの内周面と取付用突部３０の外周面の一方に、係合凸部を設けると共に、他方に係合凹部を設け、接続部２３と取付用突部３０を強い力で押し込むことで係合凸部と係合凹部が係合して両者が抜け難くする。
【００３３】
前述の各実施の形態では、紐状体２の紐体２２を一体として述べたが、複数の紐体２２を連結したものであっても良いし、複数の紐体２２を着脱自在に連結して紐体２２の数を増減することで紐体２２の長さを調整できるようにしても良い。
また、前述の吊り下げ用の紐状体では、人、動物の首などに吊り下げて使用することを説明したが、首から肩にかけて腹側の前方に、又は背中側の後方に吊り下げたり、又、人、動物の他に、家屋内の天井、壁面、支柱などに吊り下げて使用できることは勿論である。ｚ
【００３４】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして上記の薬剤で、殺虫を目的として使用する場合、従来より用いられている各種揮散性殺虫剤を用いることができ、ピレスロイド系殺虫剤、カーバメート系殺虫剤、有機リン系殺虫剤等が挙げることができる。一般に安全性が高いことからピレスロイド系殺虫剤が好適に用いられる。
さらに、微量で効力を発揮する高活性のメトフルトリン、トランスフルトリン、エムペントリン、テラレスリンが薬剤含浸体を薄く、また小さくできることからより好ましい。
【図面の簡単な説明】
【００３５】
【図１】本発明の第１の実施の形態を示す吊下型送風式薬剤放散装置の全体正面図である。
【図２】図１のＡ−Ａ拡大断面図である。
【図３】図１のＢ−Ｂ拡大断面図である。
【図４】本発明の第２の実施の形態を示す吊下型送風式薬剤放散装置の薬剤放散器部分の正面図である。
【図５】本発明の第２の実施の形態を示す吊下型送風式薬剤放散装置の薬剤放散器部分の背面図である。
【図６】図４のＣ−Ｃ拡大断面図である。
【図７】本発明の第３の実施の形態を示す吊下型送風式薬剤放散装置の薬剤放散器部分の一部破断正面図である。
【図８】図７のＤ−Ｄ断面図である。
【図９】本発明の第４の実施の形態を示す吊下型送風式薬剤放散装置の薬剤放散器部分の一部破断正面図である。
【図１０】取付用突部と接続部の接続の他の例を示す正面図である。
【図１１】本発明の第５の実施の形態を示す吊下型送風式薬剤放散装置の薬剤放散器部分の一部破断正面図である。
【図１２】図１１のＥ−Ｅ断面図である。
【符号の説明】
【００３６】
１…送風式の薬剤放散器、２…吊下用の紐状体、２ａ…吊り下げ部分、１０…本体、１１…送風機、１２…薬剤、１３…吸込口、１４…放出口、２０…空気流通孔、２１…放出部、２２…紐体、２３…接続部、２３ａ…接続口、３０…取付用突部。
【図１】
2007274991.tif 000003
【図２】
2007274991.tif 000004
【図３】
2007274991.tif 000005
【図４】
2007274991.tif 000006
【図５】
2007274991.tif 000007
【図６】
2007274991.tif 000008
【図７】
2007274991.tif 000009
【図８】
2007274991.tif 000010
【図９】
2007274991.tif 000011
【図１０】
2007274991.tif 000012
【図１１】
2007274991.tif 000013
【図１２】
2007274991.tif 000014